(57)【要約】【課題】箱への収納時には多数のハンガーのずれや絡みを効率よく防止でき、箱から取り出すのに便利であり、取り出した後はハンガーラックとして使用することのできる複数ハンガー保持具を提供する。【解決手段】ハンガーを受ける基部１と、基部１の幅方向の中途部から折り返されて起立し、ハンガーが挿通、積み重ねられる略長方形状のハンガー保持部３とが一枚の板材から形成され、ハンガー保持部３の先端近傍には把手部６が設けられた複数ハンガー保持具。箱に収納した状態では、複数のハンガーはハンガー保持部３により横方向の移動が制限されているので、ずれたり絡んだりすることがない。箱から取り出すときは、ハンガー保持部３の上部に形成されている把手部６を持って持ち上げれば、複数ハンガー保持具ごと、その列の複数のハンガーを一度に取り出すことができる。取り出した後は、自立するので、そのまま、ハンガーラックとして使用できる。【選択図】図１
0003129160.tif 000002
【実用新案登録請求の範囲】
【請求項１】
一枚の板材から形成され、ハンガーを受ける基部と、前記基部の幅方向の中途部から折り返されて起立し、ハンガーが挿通、積み重ねられる略長方形状のハンガー保持部と、前記ハンガー保持部の先端近傍に形成された把手部とを備えた複数ハンガー保持具。
【請求項２】
前記基部は、２つまたは４つの複数ハンガー保持具を正方形状の箱内に配置したときに、２つの基部の外形が正方形に収まるように、または４つの基部のそれぞれの長手方向の端部が重ならないように、長手方向の端部が斜めに形成されている請求項１記載の複数ハンガー保持具。
【請求項３】
前記基部と前記ハンガー保持部との折り返し部分の一部に、前記ハンガー保持部を折り返したときにハンガー保持部とともに折り返されないで前記基部と同一面に残る凸状の切り込み部を設けた請求項１または２に記載の複数ハンガー保持具。
【請求項４】
前記把手部は、上部の直線部を折り返し部とし、後の部分はハンガー保持部から切り離される長円形の半抜き部から形成されている請求項１から３のいずれかの項に記載の複数ハンガー保持具。
【考案の詳細な説明】
【技術分野】
【０００１】
本考案は、複数のハンガーを輸送、保管するために箱内に梱包するときのハンガーを整理でき、また箱から取り出した後はハンガーラックとして使用できる複数ハンガー保持具に関する。
【背景技術】
【０００２】
例えば、クリーニング店やクリーニング工場で使用する針金製ないしプラスチック製のハンガーを多数、段ボール製の箱に梱包する際、ハンガーのフック部と肩部、横バーが絡まないように、フック部と横バーの位置が揃った状態で、所定本数、積み重ねて収納される。
【０００３】
図５は従来例を示す斜視図であり、図５（ａ）では、段ボール製の箱２０に、ハンガーＨのフック部が角に向くように、横バーが向き合うように、２列のハンガーＨを収納している。図５（ｂ）では、二等辺直角三角形状の段ボール製の箱２１に、ハンガーＨを一列に積み重ねて収納している。
【０００４】
図６は他の従来例を示す斜視図であり、段ボール製の箱２２に４列のハンガーＨを、フック部が互いに内側を向くように収納し、段ボール製の仕切り板２３を入れて、輸送中にハンガーＨがずれたり絡み合って列が乱れたりしないようにしている。また、仕切り板２３は、箱２２のつぶれ防止の役目を果たしている。
【０００５】
図７は、箱から取り出した後のハンガーＨを、順次取り出しやすいようにしたステンレス製のハンガーラックを示している。このハンガーラック３０は、３本の直立バー３１を設け、ここにハンガーＨを差し込んで積み重ねて取り出しやすいようにしておくものである。
【０００６】
図８は、特許文献１に記載された衣類用ハンガーの収納ラックを示すものであり、段ボール等で形成したケース４０に複数のハンガーＨの収納部を設け、仕切り板４１の上部に把手４２を設けて、ハンガーＨの整理収納と、持ち運びに便利なようにしたものである。
【０００７】
【特許文献１】実用新案登録第３１１５９５２号公報
【考案の開示】
【考案が解決しようとする課題】
【０００８】
上述した図５（ａ）の例では、輸送中に２列のハンガーＨ同士が他の列に入り込んで重なり合い、荷崩れするおそれがあり、取り出し時に絡まるという問題がある。図５（ｂ）の例では、三角形の、特殊な箱を製造する必要があり、収納するハンガーＨの本数も少なく不経済である。
【０００９】
図６の従来例では、輸送中のハンガーＨのずれ防止には役立つが、仕切り板２３はハンガーＨを取り出すときには邪魔になり、仕切り板２３がゴミになるので、不経済である。
【００１０】
図７のステンレス製ハンガーラックは、使用時には取り出しに便利であるが、製品が高価なことと、梱包からハンガーＨを取り出して移し替えなければならない不便さがある。
【００１１】
図８の収納ラックは、持ち運びには便利であるが、ハンガーＨの収納本数が少なく、多数のハンガーを輸送、保管するには不適である。
【００１２】
そこで本考案は、箱への収納時には多数のハンガーのずれや絡みを効率よく防止でき、箱から取り出すのに便利であり、取り出した後はハンガーラックとして使用することのできる複数ハンガー保持具を提供することを目的とする。
【課題を解決するための手段】
【００１３】
前記課題を解決するため、本考案の複数ハンガー保持具は、一枚の板材から形成され、ハンガーを受ける基部と、前記基部の幅方向の中途部から折り返されて起立し、ハンガーが挿通、積み重ねられる略長方形状のハンガー保持部と、前記ハンガー保持部の先端近傍に形成された把手部とを備えたものである。
【００１４】
この複数ハンガー保持具は、一枚の板材から形成され、ハンガー保持部を基部から立ち上げて使用する。輸送用、保管用の箱にハンガーを梱包する際には、複数のハンガーをハンガー保持部に通して積み上げた状態で箱に収納する。このとき、複数ハンガー保持具を２列または４列、全体が箱の内部と同じ平面視正方形になるような方向で収納する。箱に収納した状態では、複数のハンガーはハンガー保持部により横方向の移動が制限されているので、ずれたり絡んだりすることがない。箱から取り出すときは、ハンガー保持部の上部に形成されている把手部を持って持ち上げれば、複数ハンガー保持具ごと、その列の複数のハンガーを一度に取り出すことができる。この複数ハンガー保持具は、自立するので、そのまま、ハンガーラックとして使用することができる。
【００１５】
２つまたは４つの複数ハンガー保持具を正方形状の箱内に配置したときに、２つの基部の外形が正方形に収まるように、または４つの基部のそれぞれの長手方向の端部が重ならないように、長手方向の端部が斜めに形成されているものとすると、内部が正方形の箱の底部にきちんと収まり、あるいは隣接する複数ハンガー保持具の基部が重なることがなく、横移動も抑制することができる。
【００１６】
前記基部と前記ハンガー保持部との折り返し部分の一部に、前記ハンガー保持部を折り返したときにハンガー保持部とともに折り返されないで前記基部と同一面に残る凸状の切り込み部を設けることにより、凸状の切り込み部が基部の一部となってハンガー保持部の重量を支えるので、複数ハンガー保持具全体が倒れにくくなり、安定性が向上する。
【００１７】
前記把手部は、上部の直線部を折り返し部とし、後の部分はハンガー保持部から切り離される長円形の半抜き部から形成されている構成とすることにより、手で持つ部分の厚みが２倍となり、持ちやすくなるとともに、全部打ち抜いたときに生じるゴミの発生をなくすことができる。
【考案の効果】
【００１８】
本考案の複数ハンガー保持具によれば、一枚の板材から形成され、ハンガーを受ける基部と、基部の幅方向の中途部から折り返されて起立し、ハンガーが挿通、積み重ねられる略長方形状のハンガー保持部と、ハンガー保持部の先端近傍に形成された把手部とを備えたことにより、箱への収納時には多数のハンガーのずれや絡みを効率よく防止でき、箱から取り出すのに便利であり、取り出した後はハンガーラックとして使用することができる。
また、一枚の板材を折って立体的に組み立てるので、コストも安く、また、非使用時には面状にして積み上げることができるので、保存スペースも小さくて済む。
【考案を実施するための最良の形態】
【００１９】
以下、本考案の実施の形態を、図１〜図４を用いて説明する。
図１は、本考案の実施の形態に係る複数ハンガー保持具の斜視図、図２はその展開図、図３は箱に収納した状態の斜視図、図４は箱から取り出した状態のハンガーラックとしての使用状態を示す斜視図である。
【００２０】
図１および図２に示すように、本実施の形態の複数ハンガー保持具Ａは、段ボール、プラスチック板などの一枚の板材を打ち抜いて成形され、細長両端カットの台形状の基部１と、基部１の幅方向の中途部に形成されたミシン目２の部分から折り返されて起立する略長方形状のハンガー保持部３とを有している。ハンガー保持部３の上部には、ミシン目４と打ち抜き部５（図２参照）が形成されており、打ち抜き部５をミシン目４から折り返すことにより、長円状の把手部６が形成されている。打ち抜き部５を折り返すことにより、把手部６を手で持ったときに手に当たる部分が厚くなるので、手が痛くなることが緩和され、また長円形を打ち抜いたときにゴミとなる無駄をなくすことができる。
【００２１】
基部１は、ハンガー保持部３に挿通されて積み重ねられるハンガーを受ける部分であり、ハンガーの外形よりも一回り大きい形状となっている。基部１の両肩部は４５度にカットされ、複数ハンガー保持具Ａが箱の中に４つ収納されるときに、４５度の肩部同士が突き合わされて、４つの基部１全体が、箱の底部の形状である正方形に収まるようにしている。なお、基部１は、両端カット台形状でなくても、２つまたは４つの複数ハンガー保持具を正方形状の箱内に配置したときに、２つの基部の外形が正方形に収まるように、または４つの基部のそれぞれの長手方向の端部が重ならないように、長手方向の端部が斜めに形成されていることで、同様の機能を果たす。
【００２２】
また、基部１の直線上の２箇所のミシン目２の間には、円形の切り込み部７が設けられており、ハンガー保持部３を基部１に対してミシン目２から直角に折り返したとき、切り込み部７が設けられた部分は、基部１に残って、突出部８となる。この突出部８が基部１の一部となってハンガー保持部３の重量を支えるので、複数ハンガー保持具Ａ全体が倒れにくくなり、安定性が向上する。
【００２３】
以上のように形成された複数ハンガー保持具Ａを、図１のようにハンガー保持部３を基部１に対して垂直に起立させ、把手部６を開けて使用する。すなわち、図３に示すように、輸送、保管用の箱１０の内部に、所定数のハンガーＨがセットされた４組の複数ハンガー保持具Ａを、ハンガーＨのフック部が内側を向くようにして収納する。箱１０からハンガーＨを取り出す場合は、複数ハンガー保持具Ａの把手部６を持って持ち上げれば、一組のハンガーＨが一度に、簡単に取り出される。
【００２４】
取り出された複数ハンガー保持具Ａは、図４に示すように、そのままハンガーラックとして使用でき、複数のハンガーＨがバラバラになることなく保管できるし、使用したいときには容易に取り出すことができる。また、使用済みのハンガーＨや、客先から戻ってきたハンガーＨを新品とは別の複数ハンガー保持具Ａのハンガー保持部３に通しておくことで、回収したハンガーがバラバラに散逸することを防止できる。
【００２５】
複数ハンガー保持具Ａは、一枚の板材を折って立体的に組み立てるので、コストも安く、また、非使用時には面状にして積み上げることができるので、保存スペースも小さくて済む。
【００２６】
なお、図示の例では、ハンガーＨとして、クリーニング業界でよく使用される針金製ハンガーを示したが、プラスチック製のハンガーでも使用することができることはもちろんである。また、クリーニング業界のみならず、ハンガーを多く使用するアパレル業界においても、使用することができる。
【産業上の利用可能性】
【００２７】
本考案は、箱への収納時には多数のハンガーのずれや絡みを効率よく防止でき、箱から取り出すのに便利であり、取り出した後はハンガーラックとして使用することのできる複数ハンガー保持具として、クリーニング業界、アパレル業界等において、好適に利用することができる。
【図面の簡単な説明】
【００２８】
【図１】本考案の実施の形態に係る複数ハンガー保持具の斜視図である。
【図２】本考案の実施の形態に係る複数ハンガー保持具の展開図である。
【図３】本考案の実施の形態に係る複数ハンガー保持具を箱に収納した状態の斜視図である。
【図４】本考案の実施の形態に係る複数ハンガー保持具を箱から取り出した状態のハンガーラックとしての使用状態を示す斜視図である。
【図５】ハンガーを箱に収納する従来例を示す斜視図である。
【図６】ハンガーを箱に収納する他の従来例を示す斜視図である。
【図７】従来のハンガーラックを示す斜視図である。
【図８】特許文献１に記載された衣類用ハンガーの収納ラックを示す斜視図である。
【符号の説明】
【００２９】
Ａ  複数ハンガー保持具
Ｈ  ハンガー
１  基部
２  ミシン目
３  ハンガー保持部
４  ミシン目
５  打ち抜き部
６  把手部
７  切り込み部
８  突出部
１０  箱
【図１】
0003129160.tif 000003
【図２】
0003129160.tif 000004
【図３】
0003129160.tif 000005
【図４】
0003129160.tif 000006
【図５】
0003129160.tif 000007
【図６】
0003129160.tif 000008
【図７】
0003129160.tif 000009
【図８】
0003129160.tif 000010